(57)【要約】【課題】レンズホルダ自体の重さを著しく増加させず、且つ対物レンズの傾きの調整を簡易に行うことが可能な光ピックアップ装置、および上記光ピックアップ装置を使用した光ディスク再生装置の提供を目的とする。【解決手段】２つの対物レンズ１２ａ、１２ｂの傾きを調節する際、スペーサ１３ｄをレンズホルダ１３のレンズ収容部１３ｂの開口に沿って回転させるとともに、スペーサ１３ｄを脚部１３ｄ３、１３ｄ４を支点として傾けることで対物レンズ１２ａ、１２ｂの傾斜角の調整を行う。【選択図】図６
2008059661.tif 000002
【特許請求の範囲】
【請求項１】
レーザー光を照射するレーザーダイオードと、
上記レーザーダイオードからのレーザー光を収束して光ディスクの記録面に照射する第一の対物レンズと、
上記第一の対物レンズと焦点距離の異なる第二の対物レンズと、
略箱型形状であって上記２つの対物レンズの傾斜角を一致するよう配置する樹脂製のレンズホルダと、
上記レーザーダイオードからのレーザー光を第一の対物レンズと第二の対物レンズに照射する光学系と、
上記光ディスクに反射した上記レーザーダイオードからのレーザー光を受光してディジタル信号に変換する検知器とから成る光ピックアップ装置を有し、
上記光ディスクの映像信号や音声信号を上記光ピックアップ装置にてディジタル信号に変換することで読み取る光ディスク読み取り装置において、
上記レンズホルダは、上記箱型形状のレーザー光照射面の端部より上記レーザー光照射面に対して略水平の開口部を有する略円筒形であって上記第一の対物レンズを収容する第一のレンズ収容部と、上記第二の対物レンズを収容する第二のレンズ収容部と、上記対物レンズの面方向の傾きを調整して上記対物レンズを上記レンズ収容部に収容する樹脂製のスペーサとから成り、
上記第一のレンズ収容部は、上記開口部の先端から所定長だけ奥まった位置に上記第一の対物レンズを載置する座を有し、
上記第二のレンズ収容部は、上記第一のレンズ収容部より直径の大きな開口部を有するとともに、上記開口部の先端から所定長だけ奥まった位置に上記第二の対物レンズを配置した上記スペーサを載置し、
上記スペーサは、上記第二のレンズ収容部の開口に沿って回転可能なよう横断面を中空円とする受け面に上記対物レンズのレンズ中心と上記受け面との中心を一致させるよう上記対物レンズを配置する座を設けるとともに、上記受け面の傾きを調整できるよう、上記受け面の直径方向に対向して位置するとともに上記受け面から垂直方向に延設して斜面を形成する一対の脚部とを有し、
上記脚部を上記第二のレンズ収容部の座に当接させて上記スペーサを上記第二のレンズ収容部に収容する際、上記脚部の上記座と当接する先端を支点として上記受け面を傾けることにより上記第二の対物レンズの傾きを上記第一の対物レンズの面方向の傾きと一致させるよう調整可能な光ディスク読み取り装置。
【請求項２】
焦点距離の異なる第一の対物レンズと第二の対物レンズを用いて光源からの光を収束して光ディスクの記録面に照射するとともに、上記２つの対物レンズの傾斜角を調整可能に配置するレンズホルダとを有する光ピックアップ装置において、
上記レンズホルダは、上記第一の対物レンズと上記第二の対物レンズを収容する開口部を有する略円筒形であるとともに、上記開口部の先端から所定長だけ奥まった位置に座を形成する２つのレンズ収容部と、
上記開口部に収容可能な横断面を有するリング状であって、上記対物レンズの面方向の傾きを調整して上記対物レンズを上記レンズ収容部に収容するスペーサとから成り、
上記スペーサは、上記対物レンズを横断面を同じにしつつ配置する座を有するとともに、上記受け面の径方向に対向して位置し上記受け面から垂直方向に突出する１対の脚部とから成り、
上記スペーサは、上記対物レンズを上記座に配置しつつ、上記脚部の先端を支点として上記受け面に配置された上記対物レンズの傾きを調節できるよう、上記脚部の先端を上記開口部の座に当接させて、上記レンズ収容部に配置することを特徴とする光ピックアップ装置。
【請求項３】
上記スペーサの受け面は、上記レンズ収容部の開口に沿って回転可能な中空円の横断面であって、
上記対物レンズと上記受け面の横断面の中心とを一致させるよう上記対物レンズを配置する座を形成することを特徴とする請求項２に記載の光ピックアップ装置。
【請求項４】
上記スペーサの脚部は、上記受け面より突出する先端を頂点とした斜面を形成し、
当接させた上記脚部を支点として上記斜面に沿って上記スペーサを傾けることで、上記対物レンズを傾けることを特徴とする請求項２または請求項３のいずれかに記載の光ピックアップ装置。
【請求項５】
上記スペーサの脚部は、上記受け面の垂直方向に突出する脚部片にて形成されていることを特徴とする請求項２〜請求項４のいずれかに記載の光ピックアップ装置。  
【請求項６】
上記レンズホルダと上記スペーサは樹脂にて形成されることを特徴とする請求項２〜請求項５のいずれかに記載の光ピックアップ装置。
【発明の詳細な説明】
【技術分野】
【０００１】
本発明は、光ピックアップ装置に関し、特に、２つの対物レンズにて複数の光ディスクを読み取り可能な光ピックアップ装置、および上記光ピックアップ装置を使用した光ディスク読み取り装置に関する。 
【背景技術】
【０００２】
ＤＶＤやＣＤ等の光ディスクのデータを読み取る技術として従来は以下に示す光ピックアップ装置が知られている。図８は従来の光ピックアップ装置を示す図である。同図より、光ピックアップ装置１は、光源を照射するレーザーダイオード２と、レーザーダイオード２から入力されたレーザー光を透過するとともに光ディスクを反射したレーザー光を反射するハーフミラー３、レーザーダイオード２からのレーザー光を所定角度に反射させる立ち上げミラー４、立ち上げミラー４が反射したレーザー光を偏光するコリメータレンズ５、コリメータレンズ５が偏光したレーザー光を収束させて光ディスク１００に照射する対物レンズ６から構成されている。
【０００３】
上記構成によりレーザーダイオード２から照射されたレーザー光は、立ち上げミラー４にて反射されて対物レンズ６に照射される。対物レンズ６ａは入射したレーザー光を所定の焦点距離で収束（フォーカス）させ、光ディスク１００の読み取り面に照射する。このとき、光ディスク１００の読み取り面にはデータとしてのピットが形成されており、上記ピットに照射された光は反射により入射経路と同様の経路によりハーフミラー３に照射される。ハーフミラー３は、照射された反射光を反射させて検出器７に照射する。これにより検出器７によるデータの読み取りが行われる。そのため、光ディスクの読み取り面に形成されたピットに光源からの光が正確に照射されるよう、対物レンズからの距離と光ディスクとの間の距離が光源の焦点距離と一致する必要がある。
【０００４】
しかしながらＤＶＤやＣＤはデータとしてのピットが形成された読み取り面の高さ方向の位置さらにはピットの大きさが異なり、同一の光ピックアップ装置１にてＤＶＤとＣＤを再生する場合、一つの対物レンズでは焦点距離並びに収束量を合わせる必要がある。そのため、従来では図９で示すような２つの対物レンズを用いたヘッド部使用して、焦点距離の異なる光ディスクに対応できるような構成としている（例えば特許文献１）。図９は従来の２つの対物レンズを配置したヘッド部の図である。同図より、ヘッド部８は光源から照射された光の焦点距離が異なる第一の対物レンズ８ａ１と第二の対物レンズ８ａ２、上記第一の対物レンズ８ａ１と第二の対物レンズ８ａ２とを載置するレンズホルダ８ｂ、とを有する構成である。
【０００５】
上記構成の光ピックアップ装置１では、例えば、第一の対物レンズ８ａ１をＤＶＤメディア用とし、第二の対物レンズ８ａ２をＣＤとした場合、ＣＤを再生する場合は図示しない可動部によりレンズホルダ８ｂを移動させて、光源からの光を第二の対物レンズ８ａにより収束させてピットを読み取る。また、ＤＶＤメディアを再生させる際は可動部によりレンズホルダ８ｂを光源からの光が第一の対物レンズ８ａ１に収束するよう移動させて、ＣＤに形成されたピットを読み取る。また、このとき光ディスク再生時での各対物レンズと光ディスク１００との焦点距離の調整はレンズホルダ８ｂを一体として行うこととなる。具体的には第一の対物レンズ８ａ１に対する焦点距離の調整を行うことでヘッド部８全体での焦点距離の調整としている。そのため、レンズホルダ８ｂに配置される第一の対物レンズ８ａ１と第二の対物レンズ８ａ２の傾斜角は常に水平になるよう調整を行う必要があった。
【０００６】
上記した構成の光ピックアップ装置１の調整は、冶具等により一方の対物レンズの傾きをもう一方の対物レンズの傾きに合わせて傾けるとともに、傾き量をオートコリメータ等の測定器により測定し傾き量を合わせこんでいく。その後傾き量を調整した対物レンズを接着剤によりレンズホルダ８ｂと固定することにより位置を固定する。その際、ヘッド部８の受け面は２枚の対物レンズの傾きを合わせるのに有る程度の精度を必要とするとともに、調整に時間が掛かっていた。
【０００７】
複数の対物レンズの傾きを調整を簡易に行う方法として、レンズホルダに対物レンズの傾きを調整（あおり調整）可能な座を儲け、上記レンズ収容部の座にスペーサを挿入して対物レンズの傾きを調整する方法が開示されている。（例えば、特許文献２参照。）。
【０００８】
また、複数の対物レンズの傾き調整を簡易にする他の方法として、レンズホルダの対物レンズを配置するレンズ収容部内に、対物レンズの傾きを調整するためのヨーク機構を備え、上記ヨーク機構により複数の対物レンズの傾きを調整する方法が開示されている（例えば、特許文献３参照。）。
【特許文献１】特開平１１−２５９８９１
【特許文献２】特開２００５−１７４４８５
【特許文献３】特開平１０−１５４３４２
【発明の開示】
【発明が解決しようとする課題】
【０００９】
上述した特許文献１の発明は、次のような課題があった。つまり、傾き調整（あおり調整）を可能にする座を形成するために座側にそれなりの精度を求める必要がある。しかしながら、座を形成するためのレンズホルダは通常ＬＣＰ（Thermotropic Liquid Crystal Polyester）と呼ばれる樹脂にて形成されている。これは、レンズホルダ自体の重量を軽くすることにより、レンズホルダのピックアップ方向やフォーカス方向の移動により発生する振幅を減衰させてデータを確実に読み取る目的や、駆動部からの振動による共振を防止するためである。そのため、樹脂にて形成されたレンズホルダは金属にて形成する場合と異なり加工精度が荒く、したがって座の精度を出すのが難しい。
【００１０】
また、特許文献２の発明は、次のような課題がった。つまり、レンズホルダの開口にヨーク機構を備えるため調整が複雑となる。そのため、対物レンズの合わせこみを簡易に行うことは不可能となる。さらには、ヨーク機構自体の重量が加算されるため、上述したレンズホルダ自体の重量が増加し共振等の問題が発生する。
【００１１】
本発明は、上記課題にかんがみてなされたもので、レンズホルダ自体の重さを著しく増加させず、且つ対物レンズの傾きの調整を簡易に行うことが可能な光ピックアップ装置、および上記光ピックアップ装置を使用した光ディスク再生装置の提供を目的とする。
【課題を解決するための手段】
【００１２】
上記目的を達成するために、請求項２に記載の光ピックアップ装置では、焦点距離の異なる第一の対物レンズと第二の対物レンズを用いて光源からの光を収束して光ディスクの記録面に照射するとともに、上記２つの対物レンズの傾斜角を調整可能に配置するレンズホルダとを有する光ピックアップ装置において、
上記レンズホルダは、上記第一の対物レンズと上記第二の対物レンズを収容する開口部を有する略円筒形であるとともに、上記開口部の先端から所定長だけ奥まった位置に座を形成する２つのレンズ収容部と、上記開口部に収容可能な横断面を有するリング状であって、上記対物レンズの面方向の傾きを調整して上記対物レンズを上記レンズ収容部に収容するスペーサとから成り、上記スペーサは、上記対物レンズを横断面を同じにしつつ配置する座を有するとともに、上記受け面の径方向に対向して位置し上記受け面から垂直方向に突出する１対の脚部とから成り、上記スペーサは、上記対物レンズを上記座に配置しつつ、上記脚部の先端を支点として上記受け面に配置された上記対物レンズの傾きを調節できるよう、上記脚部の先端を上記開口部の座に当接させて、上記レンズ収容部に配置することを特徴とする光ピックアップ装置。
【００１３】
上記のように構成した請求項２にかかる発明において、スペーサの座に配置された対物レンズは、レンズホルダのレンズ収容部の座に上記スペーサの脚部を当接させて支持されることによりレンズ収容部に収容される。これにより、対物レンズ同士の傾きを調整する際は、スペーサをレンズ収容部の開口に沿って回転させて、対物レンズ同士の傾き方向を合わせるとともに、脚部を支点として受け面を傾けることにより対物レンズの傾き方向を調整する。そのため、スペーサを開口に沿って回転させ傾き方向を合わせ、脚部を支点として受け面を傾けて対物レンズの傾きを調整するだけなので簡易に対物レンズの傾きを調整することができる。また、レンズ収容部の座の精度誤差や、スペーサ自体の精度誤差は、脚部を支点とした受け面の傾きにより吸収されるため、レンズホルダ自体の精度を必要としない。そのため、スペーサの材質を金属として精度を保障する必要がなく、一例としてはレンズホルダと同様ＬＣＰ等の樹脂であればよい。したがってスペーサは樹脂にて作成することが可能であるためレンズホルダは重量が著しく増加せず、レンズホルダの重量増加に伴う共振現象を発生させない。
【００１４】
また、スペーサの対物レンズを配置するための具体的な構成の一例として請求項３に記載の発明では、上記スペーサの受け面は、上記レンズ収容部の開口に沿って回転可能な中空円の横断面であって、上記対物レンズと上記受け面の横断面の中心とを一致させるよう上記対物レンズを配置する座を形成する構成としている。
【００１５】
上記のように構成した請求項３に記載の発明では、スペーサは、対物レンズの中心をスペーサの横断面の中心と合わせるよう座を形成している。これによりスペーサをレンズ収容部に収容した状態で、スペーサを回転させて角度を調整しても受光する光の光軸がずれない。
【００１６】
上述したスペーサの具体的な形状の一例として、請求項４にかかる発明では、上記スペーサの底面は上記脚部の先端を頂点とした斜面を形成し、当接させた上記脚部を支点として上記斜面に沿って上記スペーサを傾けることで、上記対物レンズを傾ける構成としてある。
これにより対物レンズの傾きを調整するのに、脚部を支点として斜面をレンズ収容部の座に合わせて傾けることで調整をおこなう。そのため、より一層簡易な調整を行うことができる。
【００１７】
さらに、スペーサの具体的な形状の他の一例として、請求項５にかかる発明では、上記スペーサの脚部は、上記受け面の垂直方向に突出した脚部片にて形成された構成としてある。
これにより、脚部は受け面から垂直方向に突出した形状であるため簡易な形状であり、作りやすい形状である。
【００１８】
さらに、レンズホルダとスペーサの材質の一例として、請求項６に記載の発明では上記レンズホルダと上記スペーサは樹脂にて形成される構成としてある。
本発明では、レンズホルダとスペーサの精度誤差をスペーサの傾きにより吸収することができるため、レンズホルダとスペーサの材質を精度を有しない樹脂にて形成することが可能となる。さらに、レンズホルダとスペーサを樹脂にて形成することで、光ピックアップ装置自体の重量を軽減することができ、不要共振を防止することが可能となる。
【００１９】
また、本発明の具体的な実施の形態として請求項１に記載の発明は、レーザー光を照射するレーザーダイオードと、上記レーザーダイオードからのレーザー光を収束して光ディスクの記録面に照射する第一の対物レンズと、上記第一の対物レンズと焦点距離の異なる第二の対物レンズと、略箱型形状であって上記２つの対物レンズのレンズ面同士の傾きが一致するよう配置する樹脂製のレンズホルダと、上記レーザーダイオードからのレーザー光を少なくともどちらかの対物レンズに照射する光学系と、上記光ディスクに反射した上記レーザーダイオードからのレーザー光を受光してディジタル信号に変換する検知器とから成る光ピックアップ装置を有し、上記光ピックアップ装置からのディジタル信号を基に光ディスクの映像信号や音声信号を読み取る光ディスク読み取り装置において、
上記レンズホルダは、上記箱型形状のレーザー光照射面の端部より上記レーザー光照射面に対して略水平の開口部を有する略円筒形であって上記第一の対物レンズを収容する第一のレンズ収容部と、上記第二の対物レンズを収容する第二のレンズ収容部と、上記対物レンズの面方向の傾きを調整して上記対物レンズを上記レンズ収容部に収容する樹脂製のスペーサとから成り、上記第一のレンズ収容部は、上記開口部の先端から所定長だけ奥まった位置に上記第一の対物レンズを載置する座を有し、上記第二のレンズ収容部は、上記第一のレンズ収容部より直径の大きな開口部を有するとともに、上記開口部の先端から所定長だけ奥まった位置に上記第二の対物レンズを配置した上記スペーサを載置し、上記スペーサは、上記第二のレンズ収容部の開口に沿って回転可能な略円筒形の受け面に上記対物レンズのレンズ中心と上記受け面との中心を一致させるよう上記対物レンズを配置する座を設けるとともに、上記受け面の傾きを調整できるよう、上記受け面の直径方向に対向して位置するとともに上記受け面から垂直方向に延設して斜面を形成する一対の脚部とを有し、上記脚部を上記第二のレンズ収容部の座に当接させて上記スペーサを上記第二のレンズ収容部に収容する際、上記脚部の上記座と当接する先端を支点として上記受け面を傾けることにより上記第二の対物レンズの傾きを上記第一の対物レンズの面方向の傾きと一致させる構成としている。
【発明の効果】
【００２０】
以上説明したように本発明によれば、レンズホルダ自体の重さを著しく増加させず、且つ対物レンズの傾きの調整を簡易に行うことが可能となる。
また請求項３にかかる発明によれば、対物レンズの傾斜角を調整するためにスペーサを回転させても光軸がずれない光ピックアップ装置を提供することができる。
さらに請求項４にかかる発明によれば、対物レンズを調整するのにより一層簡易に行うことが可能となる。
そして請求項５にかかる発明によれば、対物レンズの傾きを簡易に行うことが可能であるとともに、スペーサを作りやすくすることが可能となる。
さらに請求項６にかかる発明によれば、ヘッド部の重量を軽減して不要共振を軽減することができる。
さらに請求項１のような、より具体的な構成において、上述した請求項２〜請求項５の各発明と同様の作用を奏することはいうまでもない。
【発明を実施するための最良の形態】
【００２１】
本発明の光ピックアップ装置の具体的な説明として、上記光ピックアップ装置を使用する光ディスク再生装置を基に説明する。しかしながら、本発明の光ピックアップ装置は上記光ディスク再生装置に限定されるものではなく、本発明の光ピックアップ装置を使用するものであれば応用することができる。
以下、下記の順序に従って本発明の実施形態を説明する。
（１）第一の実施の形態
（２）第一の実施の形態のまとめ
（３）第二の実施の形態
（４）第二の実施の形態のまとめ
【００２２】
（１）第一の実施の形態
以下、図１〜図６を参照して、この発明に係る光ディスク再生装置を具体化した第１の実施の形態での光ディスク読み取り装置１０の概略的な構成とその機能を説明する。光ディスク再生装置は、ＤＶＤやＣＤの光ディスクに記録されたデータを読み取るためのものである。そのため、光ディスク読み取り装置１０は図１に示す構成である。図１は本発明の光ディスク再生装置のブロック構成図である。同図より、光ディスク再生装置２０は、光ディスクに記録されたデータの読み取りを行う光ピックアップ装置１０と、光ディスク１００を回転させるスピンドルモータ２１と、光ピックアップ装置を移動させる光ピックアップ装置移動制御部２３と、光ディスクを載置するトレーをローディングするローディングモータ２２、光ディスクの再生または記録を行うための制御を司る制御基板２６、さらには電源を供給するための電源装置２４とから構成されている。
【００２３】
上述した構成により、光ディスク１００を再生するために光ディスク１００をトレー２０ａに載置してリモコン装置２５を操作すると、リモコン装置２５から出力された操作信号をリモコンＩ／Ｆ２６ｂが読み取りバス２６ｋを介してマイコン２６ａに出力する。マイコン２６ａ操作指示を受け入れると、ローディングモータ２２を駆動させトレー２０ａを光ディスク読み取り装置１０に収容する。次にマイコン２６ａは、スピンドルモータ２１を駆動させて光ディスク１００を回転させる。さらにマイコン２６ａは再生する光ディスク１００に合わせて光ピックアップ装置１０の対物レンズを選択する。
【００２４】
光ディスク１００は、記録面にピットと呼ばれる孔を形成しており、光ピックアップ装置１０は、上記ピットに向けてレーザーを照射しその反射を読み取ることでデータの読み取りを行う。このとき、光ピックアップ装置１０は回転する光ディスク１００のピットに追従するよう、光ピックアップ装置移動制御部２３にて位置制御されて移動する。光ディスク１００に照射されたレーザーは入射時と同じ経路を経て反射した後、検知器にてディジタル信号に変換されて制御基板２６に出力される。制御基板２６のデータの再生及び記録は周知技術であるためここでは概略的な説明にとどめる。制御基板２６に入力された映像データは映像生成部２６ｅに送られ１フレームごとの映像を生成した後、一端バッファ２６ｆに出力され入出力端子２６ｄから外部機器に出力される。
【００２５】
また同様に制御基板２６に入力された音声信号は音声生成部２６ｇに出力された後、バッファ２６ｈに一時記録され入出力端子２６ｄを介して外部機器に出力される。また、光ディスク１００のデータを光ディスク読み取り装置２０に記録する場合は、マイコン２６ａの指示の基バッファ２６ｆ、２６ｈに記録された映像データと音声データはＨＤＤ２６ｃに出力され、ＨＤＤ２６ｃの所定番地に書き込まれることで光ディスク読み取り装置２０に記録される。
【００２６】
次に光ピックアップ装置１０を説明する。図２は本発明の光ピックアップ装置１０の構成図である。光ピックアップ装置１０は照射したレーザーを光ディスク１００の記録面に形成された微小なピット郡に照射して、反射によりデータを読み取るためのものである。上記したピットは光ディスクの記録面の所定のアドレス領域に配置されており、光ピックアップ装置１０は、光ピックアップ装置移動制御部２３の位置制御にて移動しながらレーザー光を微小なピットに照射していく必要がある。そのため光ピックアップ装置１０は、レーザー光を収束して光ディスク１００に形成された微小なピットに照射するとともに、スピンドルモータ２１にて回転する光ディスク１００に形成されたピットに的確にレーザー光を照射するよう位置制御を行う機能を有している。さらにＤＶＤやＣＤといった異なる光ディスク１００を再生するために焦点距離やレーザー光の収束量を変化させる機能も有している。
【００２７】
上述した光ピックアップ装置１０の機能を実現するために、レーザー光を照射するレーザーダイオード１１と、入射されたレーザー光を収束させる２枚の対物レンズ１２ａ、１２ｂと、上記２枚の対物レンズを保持するレンズホルダ１３、レーザーダイオード１１からのレーザー光を偏光させ対物レンズ１２ａ、１２ｂに照射する光学系１４、レンズホルダ１３をチルト方向（垂直方向）とトラッキング方向（水平方向）に移動させてピットに追従させる位置補正機構１５、光ディスク１００を反射したレーザー光を検知する検知器１６とから構成されている。位置補正機構１５は、光ピックアップ装置移動制御部２３にて移動したレンズホルダ１３の位置補正を行うものであり、これにより回転するピットに正確にレーザー光が照射が可能となる。また、２枚の対物レンズ１２ａ、１２ｂは読み取る光ディスク１００の種類に合わせて焦点距離の変更並びに収束量の変更を行うものであり、これにより種類としては２枚から３枚の光ディスクのデータの読み取りを行うことが可能となる。
【００２８】
さらに、光学系１４は、レーザーダイオード１１から横方向に照射されたレーザー光を上方略４５度に反射させる立ち上げミラー１４ａと、立ち上げミラー１４ａにより反射されたレーザー光を偏光するコリメータレンズ１４ｂと、レーザーダイオード１１と立ち上げミラー１４ａとの間に位置し、レーザーダイオード１１からのレーザー光は透過し、光ディスク１００を反射したレーザー光は反射するハーフミラー１４ｃとから構成している。上記構成によりレーザーダイオード１１から照射されたレーザー光は、立ち上げミラー１４ａにより４５度の方向に反射されコリメータレンズ１４ｂに照射される。コリメータレンズ１４ｂに照射したレーザー光は、偏光されて対物レンズ１２ａ、１２ｂに照射される。対物レンズ１２ａ、１２ｂは照射されたレーザー光を収束して光ディスク１００に形成されたピットに照射する。このとき、位置補正機構１５は、対物レンズ１２ａ、１２ｂから照射されるレーザー光が確実にピットに照射されるようレンズホルダ１３の位置補正を行う。本発明の実施の形態での位置補正はトラッキング用マグネットとトラッキング用コイル、さらにはチルト用マグネットとチルト用コイルを使用してレンズホルダ１３の位置制御を行う。
【００２９】
上記方法にて光ディスク１００のピットに照射されたレーザー光は、ピットに反射して入射経路と同等の経路にてハーフミラー１４ｃに照射される。ハーフミラー１４ｃは入射したレーザー光を反射により検知器１５側に照射する。検知器１５は入射されたレーザー光を読み取りディジタル信号に変換して制御基板２６に出力する。本発明の実施の形態での検知器１５はフォトダイオードを利用してレーザー光をディジタル信号に変換している。さらに、読み取り面が異なる光ディスク１００を再生する場合には、レンズホルダ１３を位置補正機構１５にて移動させて再生する光ディスク１００に対応する対物レンズ１２ａ、１２ｂに切り替える。上述した制御は制御基板２６のマイコン２６ａにて制御されて実現され、これにより光ピックアップ装置１０の各機能を実現する。
【００３０】
上述したように光ピックアップ装置１０では、位置補正機構１５により第一の対物レンズ１２ａと第二の対物レンズ１２ｂを切り替えて、入力されたレーザー光の焦点距離並びに収束量を変化させることで読み取り面の異なるＤＶＤやＣＤの再生に対応している。さらに位置補正機構１５での補正動作はレンズホルダ１３を一体として行うため、第一の対物レンズ１２ａと第二の対物レンズ１２ｂは、組み立て時にレンズホルダ１３にて互いの傾斜角を略並行に保つよう保持されて組みつけられる必要がる。さらに組み付け時に各対物レンズ１２ａ、１２ｂの傾斜角の調整を容易に行えることが望ましい。そのため、本発明の実施の形態である光ピックアップ装置１０では、第一の対物レンズ１２ａと第二の対物レンズ１２ｂを組み付ける際、簡易に傾斜角を調整できる構成としている。
【００３１】
以下本発明の実施の形態でのレンズホルダの構成を説明する。図３は、本発明の実施の形態でのレンズホルダ１３の形状を現す斜視図である。レンズホルダ１３は、箱型形状の本体上面を光源を照射する側の面とすると、上記照射面の一端にレンズ収容部１３ａ、１３ｂと、位置補正機構１５にてレンズホルダ１３の位置を補正する際、水平方向の回転中心として作用する軸部が挿入する軸挿入孔１３ｃとを有している。また、本体部の側部前面と底面には、上述した位置補正機構１５であるコイルが巻かれている。本体部のレンズ収容部１３ａ、１３ｂは、レンズホルダ１３のレーザー光照射方向に開口部１３ａ１、１３ｂ１を形成し、上記開口部１３ａ１、１３ｂ１に対物レンズ１２ａ、１２ｂを収容する。また、レンズ収容部１３ａ、１３ｂは、開口部１３ａ１、１３ｂ１の周にそって放射状に溝部が配置されている。
【００３２】
レンズホルダ１３に対物レンズ１２を収容する方法は、第一の対物レンズ１２ａをレンズ収容部１３ａに第一の対物レンズ１２ａを収容するとともに、スペーサ１３ｄを用いて第二の対物レンズ１２ｂの傾斜角が第一の対物レンズ１２ａの傾斜角と略水平になるようレンズ収容部１３ｂに収容する。この際、第一の対物レンズ１２ａと第二の対物レンズ１２ｂの傾斜角が略平行とならない場合は、スペーサ１３ｄを調整することで対物レンズ１２の傾斜角を調整する。そのため、レンズ収容部１３ａ、１３ｂとスペーサ１３ｄは対物レンズ１２ｂの傾きを簡易に調整できる構造となっている。以下に具体的なレンズ収容部１３ａ、１３ｂとスペーサ１３ｄの具体的な構成を説明する。
【００３３】
図４はレンズホルダ１３のレンズ収容部１３ａ、１３ｂを中心とした断面図である。同図よりレンズホルダ１３は照射面に対して略平行な開口部１３ａ１、１３ｂ１を有する２つのレンズ収容部１３ａ、１３ｂを有している。また、本体部の側面には、レンズ収容部１３ａは開口部１３ａ１に対して径の異なる座１３ａ２が形成されており、第一の対物レンズ１２ａの径方向に広がる突出部の下面外周を座１３ａ２に載置して第一の対物レンズ１２ａをレンズ収容部１３ａに収容する。次に、第二の対物レンズ１２ｂを収容するレンズ収容部１３ｂは、開口部１３ｂ１から所定長だけ奥まった位置に座１３ｂ２を有している。座１３ｂ２の直径は座１３ａ２の直径よりも大きく、後述するように第二の対物レンズ１２ｂを固定したスペーサ１３ｄの下面外周を座１３ｂ２に載置することで第二の対物レンズ１２ｂを第二のレンズ収容部１３ｂに収容する。
【００３４】
次にスペーサ１３ｄについて説明を行う。スペーサ１３ｄはリング状であって第二の対物レンズ１２ｂの傾斜角を調整するためのものである。図５は、スペーサ１３ｄを表す斜視図である。同図より、スペーサ１３ｄはレンズ収容部１３ｂの開口に沿って回転可能なよう横断面が中空な受け面１３ｄ１と、第二の対物レンズ１２ｂのレンズ中心と受け面１３ｄ１との中心を一致させるよう第二の対物レンズ１２ｂを載置する座１３ｄ２、さらには受け面１３ｄ１の傾きを調整できるよう受け面１３ｄ１の径方向に対向して位置し、受け面１３ｄ１から垂直方向に突出する１対の脚部１３ｄ３、１３ｄ４とから構成している。またスペーサ１３ｄの縦断面は、脚部１３ｄ３、１３ｄ４の先端部を頂点とした斜面１３ｄ５、１３ｄ６を形成しており、脚部１３ｄ３、１３ｄ４をレンズ収容部１３ｂの座１３ｂ２に載置した際、脚部１３ｄ３、１３ｄ４を支点として受け面１３ｄ１を左右方向に傾けることができる。
【００３５】
上述したスペーサ１３ｄを使用した第二の対物レンズ１２ｂの傾き量の調整方法を説明する。以下に示す調整方法は、スペーサ１３ｄを調整用冶具にて固定して、対物レンズ１２の傾き量をオートコリメータ等の測定器により測定しながら実施する。冶具の機能としては、スペーサ１３ｄを保持して、以下に説明するようにスペーサ１３ｄに回転と傾きを加えることができるものであればよい。図６はレンズホルダ１３に収容される第一の対物レンズ１２ａと第二の対物レンズ１２ｂの縦断面を表す図である。同図より、第二の対物レンズ１２ｂは第一の対物レンズ１２ａに対して傾きが時計回りにαだけ傾いた状態となっている。
【００３６】
そのため、第一の対物レンズ１２ａと第二の対物レンズ１２ｂとの傾きを調整するために以下の方法を行う。まず第二の対物レンズ１２ｂを第一の対物レンズ１２ａの傾き方向に合わせて傾けることができるよう、スペーサ１３ｄの脚部１３ｄ３、１３ｄ４の対角線を傾き方向と略垂直になるようレンズ収容部１３ｂの開口に合わせてスペーサ１３ｄを回転させる。次に、スペーサ１３ｄを座１３ｄ２に当接した脚部１３ｄ３、１３ｄ４を支点として反時計回りに角度αだけ傾ける。これにより、第一の対物レンズ１２ａと第二の対物レンズ１２ｂの傾き角は略水平となる。上述した状態で、スペーサ１３ｄをレンズ収容部１３ｂに収容して接着剤にて固定する。これにより、第二の対物レンズ１２ｂは第一の対物レンズ１２ａと傾斜角を同じにしてレンズホルダ１３に固定される。
【００３７】
（２）第一の実施形態のまとめ
以上説明したように、この実施の形態に係る光ピックアップ装置によれば、２つの対物レンズ１２の傾きを調節する際、スペーサ１３ｄをレンズホルダ１３のレンズ収容部１３ｂの開口に沿って回転させるとともに、スペーサ１３ｄを脚部１３ｄ３、１３ｄ４を支点として傾けることで調整を行うことができる。このとき、レンズ収容部１３ａ、１３ｂの加工精度はスペーサ１３ｄの傾き量に吸収されるため、レンズホルダ１３の加工精度を正確に出す必要がない。このためレンズホルダを金属に比べて加工精度が出ない樹脂にて形成することができ、また樹脂にてレンズホルダ１３を形成するため重量を軽くすることが可能となる。そのためレンズホルダ１３の不要共振を軽減することができ非常に有効である。
【００３８】
（３）第二の実施の形態
次に、図７を参照して、この発明に係る光ピックアップ装置を具体化した第２の実施の形態について説明する。図７は第二の実施の形態でのスペーサを表す斜視図である。第二の実施の形態では、スペーサ１３ｄの形状を以下に説明する形状とすることで、スペーサ１３ｄを作り易い形状としている。同図より、スペーサ１３ｄは、受け面１３ｄ１の直径方向に対向する位置より垂直方向に突出する脚部片１３ｄ７、１３ｄ８を有する形状としている。これにより第二の対物レンズ１２ｂを座１３ｄ２に固定して第二のレンズ収容部１３ｂに収容する際、第一の実施の形態でのスペーサ１３ｄと同様に脚部１３ｄ７、１３ｄ８の先端を支点として受け面１３ｄ１を傾けることで第二の対物レンズ１２ｂの傾きを調整することが可能となる。
【００３９】
（４）第二の実施の形態のまとめ
以上説明したように、この実施の形態に係る光ピックアップ装置１０によれば、第１の実施の形態による効果と同様の効果もしくはそれに準じた効果に加え、さらに次のような効果も得られるようになる。つまり、スペーサ１３ｄに形成される脚部片１３ｄ７、１３ｄ８の形状は受け面１３ｄ１より垂直方向に突出した形状である。上述した第二の実施の形態でのスペーサ１３ｄの形状は非常に簡易な構成であるため非常に作りやすい形状である。
【００４０】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４１】
【図１】本発明の光ディスク再生装置のブロック構成図である。
【図２】本発明の光ピックアップ装置の構成図である。
【図３】本発明の実施の形態でのレンズホルダの形状を現す斜視図である。
【図４】レンズホルダのレンズ収容部を中心とした断面図である。
【図５】スペーサを表す斜視図である。
【図６】レンズホルダに収容される第一の対物レンズと第二の対物レンズの縦断面を表す図である。
【図７】第二の実施の形態でのスペーサを表す斜視図である。
【図８】従来の光ピックアップ装置を示す図である。
【図９】従来の２つの対物レンズを配置したヘッド部の図である。
【符号の説明】
【００４２】
１０…光ピックアップ装置、１１…レーザーダイオード、１２…対物レンズ、１２ａ…第一の対物レンズ、１２ｂ…第二の対物レンズ、１３…レンズホルダ、１３ａ、１３ｂ…レンズ収容部、１３ａ１、１３ｂ１…開口部、１３ａ２、１３ｂ２…座、１３ｃ…軸挿入孔、１３ｄ…スペーサ、受け面…１３ｄ１、１３ｄ２…座、１３ｄ３、１３ｄ４…脚部、１３ｄ５、１３ｄ６…斜面、１３ｄ７、１３ｄ８…脚部片、１４…光学系、１４ａ…ミラー、１４ｂ…コリメータレンズ、１４ｃ…ハーフミラー、１５…位置補正機構、１６…検知器、２０…光ディスク再生装置、２０ａ…トレー、２１…スピンドルモータ、２２…ローディングモータ、２３…光ピックアップ装置移動制御部、２４…電源装置、２５…リモコン装置、２６…制御基板、２６ａ…マイコン、２６ｂ…リモコンＩ／Ｆ、２６ｃ…ＨＤＤ、２６ｄ…入出力端子、２６ｅ…映像生成部、２６ｆ…バッファ、２６ｇ…音声生成部、２６ｈ…バッファ、２６ｉ…光ピックアップ装置位置制御部、２６ｊ…モータ制御部、２６ｋ…バス、１００…光ディスク
【図１】
2008059661.tif 000003
【図２】
2008059661.tif 000004
【図３】
2008059661.tif 000005
【図４】
2008059661.tif 000006
【図５】
2008059661.tif 000007
【図６】
2008059661.tif 000008
【図７】
2008059661.tif 000009
【図８】
2008059661.tif 000010
【図９】
2008059661.tif 000011